(57)【特許請求の範囲】
【請求項１】
収納庫本体の内側に上下方向に延びる前補強板及び後補強板を前後に間隔を開けて設け、前記前補強板及び後補強板に対し、引出し用サスペンションと、棚板を支持するための棚板受け具を取り付けることができる複数個の取付穴を上下方向に間隔をあけて配列形成してなる内側板とを選択的に取り付け可能とした収納庫であって、前記前補強板及び後補強板にはそれぞれ複数個の取付部が上下方向に間隔をあけて形成されており、前記引出し用サスペンション及び前記内側板は前記前補強板及び後補強板の取付部に係わり合って止まる係止部を有し、前記内側板は前記前補強板及び後補強板を覆うように形成され、前記内側板の前記係止部が前記内側板の裏面に設けられた補強板に切り起こし形成されていることを特徴とする収納庫。
【発明の詳細な説明】
【０００１】
【発明の属する技術分野】
本発明は収納庫に関し、更に詳しくは、収納庫本体を共通化可能とし、引出し付き収納庫や棚付き収納庫等を容易に組み立てることができるようにした収納庫の構造に関する。
【０００２】
【従来の技術】
近年、オフィス用収納庫としては、本体が同一の外形サイズであっても、その内部に引出しを備えたものや、棚板を備えたものなどがあり、また、本体前面を開放したオープン型、ラテラル扉型、回転扉型、引違い引戸型等の各種形態のものがあり、それらが適宜に組み合わされて使用されるようになっている。
【０００３】
従来、この種の収納庫においては、内部に棚板を設ける収納庫の場合は、本体側板の内側が全体的に平坦面に形成されるとともに、該側板の内面に棚受け具取り付け用の取付穴が形成されている。一方、内部に引出しを設ける収納庫の場合は、本体側板の内側前後に突出状態で設けられる補強板に引出しを支持するサスペンションを取り付けるための取付穴が形成されている。そして、内部に引出しを設ける収納庫の場合は、引出しが前後に移動することから、サスペンション取り付け用の取付穴は、荷重移動にも十分耐え得る形態となっており、棚受け具用の取付穴とは形態が異なっている。
【０００４】
【発明が解決しようとする課題】
上述したように、内部に棚板を設ける収納庫と内部に引出しを設ける収納庫とでは、本体が同一の外形サイズであっても、上述したように、本体側板の内面形状や取付穴の形態が異なるため、本体を共用することができない。このため、従来は、棚板付き収納庫用の本体と引出し付き収納庫用の本体を別個に製造する必要があり、製造や在庫管理の効率が低下する原因となっていた。
【０００５】
したがって、本発明の目的は、収納庫本体を共通化可能とし、引出し付き収納庫や棚付き収納庫等を容易に組み立てることができる収納庫の構造を提供することにある。
【０００６】
【課題を解決するための手段】
上記課題を解決するために、本発明は、収納庫本体の内側に上下方向に延びる前補強板及び後補強板を前後に間隔を開けて設け、前記前補強板及び後補強板に対し、引出し用サスペンションと、棚板を支持するための棚板受け具を取り付けることができる複数個の取付穴を上下方向に間隔をあけて配列形成してなる内側板とを選択的に取り付け可能とした収納庫であって、前記前補強板及び後補強板にはそれぞれ複数個の取付部が上下方向に間隔をあけて形成されており、前記引出し用サスペンション及び前記内側板は前記前補強板及び後補強板の取付部に係わり合って止まる係止部を有し、前記内側板は前記前補強板及び後補強板を覆うように形成され、前記内側板の前記係止部が前記内側板の裏面に設けられた補強板に切り起こし形成されていることを特徴とする収納庫を提供する。
【０００７】
上記構成を有する収納庫においては、前補強板及び後補強板の取付部にサスペンションを取り付ければ引出しを出し入れ可能に支持することができるので、引出し付きの収納庫にすることができる。また、収納庫本体の内側に内側板を取り付ければ、この内側板に棚受け具を取り付けることができるので、棚付きの収納庫にすることができる。このように、共通の収納庫本体を用いて収納形態の異なる収納庫を容易に組み立てることができるので、内側板に棚受け具を介して棚を取り付けて使用するときに、棚付きの収納庫収納庫構成部材の製造及び在庫管理を効率良く行うことができる。
【０００８】
しかも、内側板には棚板を支持するための棚板受け具を取り付けることができる複数個の取付穴が上下方向に間隔をあけて配列形成されているとともに、内側板は前補強板及び後補強板を覆うように形成されているので、収納庫本体の内側に内側板を取り付ければ、該内側板に棚受け具を介して棚板を支持することができるとともに、該内側板により前補強板及び後補強板を覆い収納庫本体の内側を平らな壁面とすることができる。したがって、見栄えが良くなるとともに、棚板の両端に載置物落下の原因となる隙間や載置物の出し入れの際に障害となる凹凸が生じることを防止できるので、使い勝手の良い棚付きの収納庫にすることができる。
【０００９】
しかも、内側板は、前補強板及び後補強板の前記取付部に係わり合って止まる係止部を介して前記収納庫本体の内側に着脱可能とされるので、前補強板及び後補強板に形成される取付部を、引出し用サスペンションと内側板の取り付けに兼用することができる。したがって、収納庫本体又は前補強板及び後補強板への加工を最小限に抑えることができ、強度低下及び美観の低下を最小限に抑えることができる。
【００１０】
しかも、内側板の係止部は、内側板の裏面に設けられた補強板に形成するので、内側板に棚板受け具用の取付穴とは無関係な係止部の切り起こし穴が形成されることを防止できる。したがって、内側板を収納庫本体の内側の前後の補強板に取り付けたときに、収納庫本体の内側の前後の補強板が内側板で覆われて見えなくなると共に、内側板は棚板受け具を取り付けるための複数個の取付穴のみが整列状態で見えるものとなるので、棚板方式の収納庫として非常に見栄えの良いものとなる。
【００１１】
【００１２】
【００１３】
【発明の実施の形態】
以下、図面を参照して本発明の好ましい実施形態を説明する。
【００１４】
【実施例】
図１から図３までは本発明の第１実施例を示すものであり、図１中（ａ）は収納庫本体にサスペンションを取り付ける場合の要部分解斜視図、（ｂ）はサスペンションの裏側斜視図、（ｃ）は棚受け板及び棚受け具の斜視図である。図２は図１に示す収納庫本体の要部正面図である。図３中（ａ）は図１に示す収納庫本体にサスペンションを取り付けた状態を示す要部横断面平面図であり、（ｂ）は図１に示す収納庫本体にサスペンションに代えて棚受け板を取り付けた状態を示す要部横断面平面図である。
【００１５】
はじめに図１及び図２を参照すると、収納庫は、左右の側板２、３、天板４、底板５及び背面板６からなる収納庫本体１を有する。
【００１６】
図１〜図３に示すように、側板２、３の内面にはそれぞれ収納庫本体内方に突出し且つ上下方向に延びる前補強板８及び後補強板９が前後に間隔を開けて設けられている。天板４及び底板５にも同様に前補強板８及び後補強板９が設けられている。前補強板８及び後補強板９の突出部はそれぞれ頂面８ａ、９ａと、前側面８ｂ、９ｂと、後側面８ｃ、９ｃを有する。一方の側板２は、側板２と該側板２の前補強部材８とで囲まれた空所２ａ及び側板２と該側板２の後補強部材９とで囲まれた空所２ｂを有する。他方の側板３，天板４、底板５も同様の空所を有する。
【００１７】
側板２、３、天板４及び底板５における前補強板８の突出部はそれぞれ側板２、３、天板４及び底板５の前端よりも所定量だけ後方に位置しており、これにより、収納庫本体１の前面には凹所１ａが形成されている。この凹所１ａには、必要に応じラテラル扉、回動扉、引戸等を支持する前枠（図示）を取り付けることができる。また、収納庫をオープン型とするときは、凹所１ａに矩形の前枠のみを取り付けることができる。
【００１８】
また、側板２、３、天板４及び底板５における後補強板９の突出部はそれぞれ側板２、３、天板４及び底板５の後端よりも所定量だけ前方に位置しており、これにより、収納庫本体１の後面には凹所１ｂが形成されている。そして、この凹所１ｂに背面板６が取り付けられている。
【００１９】
さらに、一方の側板２の前補強板８及び後補強板９にはそれぞれ引出し用サスペンション１０を取り付け可能な取付部としての取付穴８ｄ、９ｄが上下方向に適度の間隔を開けて形成されている。前補強板８の取付穴８ｄは前補強板８の突出部頂面８ａに開口しており、後補強板９の取付穴９ｄは後補強板９の突出部頂面９ａから前側面９ｂにかけて開口している。図示は省略するが、他方の側板３の前補強板８及び後補強板９にも同様にそれぞれ引出し用サスペンション１０を取り付け可能な取付穴が上下方向に適度の間隔を開けて形成されている。
【００２０】
図１（ｂ）に示すように、サスペンション１０の裏側には前後に間隔を開けて２つのフック１０ａ、１０ｂが切り起こし形成されており、後側のフック１０ｂは後補強板９の取付穴９ｄに対し後方に向かって差し込まれており、前側のフック１０ａは前補強板８の取付穴８ｄに対し下方に向かって差し込まれている。したがって、サスペンション１０を前補強板８及び後補強板９の取付穴８ｄ、９ｄに取り付けた状態においては、サスペンション１０が前方に抜けることを防止できるとともに、サスペンション１０の後部が上方に浮き上がることを防止できる。
【００２１】
さらに、この実施例においては、前補強板８及び後補強板９の取付穴８ｄ、９ｄに、サスペンション１０に代えて図１（ｃ）に示す内側板１１を取り付けることができる。この内側板１１は前補強板８の突出部前端から後補強板９の突出部後端までを覆うことができるように形成されている。したがって、側板２、３の前補強板８及び後補強板９にそれぞれ内側板１１を取り付けることにより、側板２、３の内側に平らな内面を形成することができる。また、内側板１１の裏面には前後に間隔をあけて上下方向に延びる補強板１２、１３が取り付けられており、これら前後の補強板１２、１３には前補強板８及び後補強板９の取付穴８ｄ、９ｄに差し込むことができる係止部としてのフック１２ａ、１３ａがそれぞれ切り起こし形成されている。このフック１２ａ、１３ａはサスペンション１０に設けられるフック１０ａ、１０ｂと同様の形状を有している。
【００２２】
内側板１１には棚板（図示省略）を支持するための棚板受け具１４を取り付け可能な複数個の取付穴１１ａ、１１ｂが前後に間隔をあけて縦２列に、且つ、上下方向に所定ピッチ間隔をあけて形成されている。
【００２３】
上記構成を有する第１実施例の収納庫においては、側板２、３における前補強板８及び後補強板９の取付穴８ｄ、９ｄにサスペンション１０を取り付ければ引出し（図示省略）を出し入れ可能に支持することができるので、引出し付きの収納庫にすることができる。また、側板２、３における前補強板８及び後補強板９の取付穴８ｄ、９ｄに内側板１１を取り付ければ、内側板１１の取付穴１１ａ、１１ｂに棚受け具１４を介して棚板（図示省略）を支持することができるので棚付きの収納庫にすることができる。このように、共通の収納庫本体を用いて収納形態の異なる収納庫を容易に組み立てることができるので、収納庫構成部材の製造及び在庫管理を効率良く行うことができる。
【００２４】
また、上記実施例においては、収納庫本体１の側板２、３の内側に内側板１１を取り付けたときは、該内側板１１に棚受け具１４を介して棚板を支持することができるとともに、該内側板１１により前補強板８及び後補強板９を覆い側板２，３の内側を平らな壁面とすることができるので、見栄えが良くなるとともに、棚受け具１４に支持される棚板の両端に載置物落下の原因となる隙間や載置物の出し入れの際に障害となる凹凸が生じることを防止できるので、使い勝手の良い棚付きの収納庫にすることができる。
【００２５】
さらに、上記実施例においては、内側板１１は、前補強板８及び後補強板９の取付穴８ｄ、９ｄに係わり合って止まるフック１２ａ、１３ａを介して収納庫本体１の内側に着脱可能とされるので、前補強板８及び後補強板９に形成される取付穴８ｄ、９ｄを、引出し用サスペンション１０と内側板１１の取り付けに兼用することができ、収納庫本体１の側板２，３又は前補強板８及び後補強板９への加工を最小限に抑えることができ、強度低下及び美観の低下を最小限に抑えることができる。
【００２６】
図４は参考例を示したものであり、図４中（ａ）は収納庫本体にサスペンションを取り付ける場合の要部分解斜視図、（ｂ）は棚受け板及び棚受け具の斜視図、（ｃ）は取付穴ピッチの異なる棚受け板を示す斜視図である。同図において、上記第１実施例と同様の構成要素には同一の参照符号が付してある。
【００２７】
この参考例においては、収納庫本体１における側板２、３の内面に収納庫本体１の内方に突出し且つ上下方向に延びる前補強板８及び後補強板９が前後に間隔を開けて設けられており、前補強板８と後補強板９との間に、引出し用サスペンション１０を取り付け可能な取付穴１５ａ、１５ｂを有するサスペンション受け板１５と、棚受け具１４を取り付け可能な取付穴１６ａ、１６ｂを有する棚受け板１６とが選択的に取り付け可能となっている。サスペンション受け板１５及び棚受け板１６にはそれぞれ前方及び後方に突出するフック１５ｃ、１６ｃがそれぞれ上下に間隔をあけて設けられており、前補強板８の突出部後側面８ｃ及び後補強板９の突出部前側面９ｂにはそれぞれフック１５ｃ、１６ｃを引っ掛けて止める取付穴８ｅ、９ｅが上下に間隔をあけて形成されている。
【００２８】
したがって、上記構成を有する参考例の収納庫においては、側板２、３における前補強板８の突出部と後補強板９の突出部との間にサスペンション受け板１５を取り付ければ、このサスペンション受け板１５に設けられている取付穴１５ａ、１５ｂに引出し用サスペンション１０を取り付けることができるので、引出し付きの収納庫にすることができる。また、側板２、３における前補強板８の突出部と後補強板９の突出部との間に棚受け板１６を取り付ければ、この棚受け板１６に設けられている取付穴１６ａ、１６ｂに棚受け具１４を取り付けて棚板を支持することができるので、棚付きの収納庫にすることができる。
【００２９】
しかも、前補強板８と後補強板９との間に棚受け板１６を取り付けたときは、前補強板８と後補強板９と棚受け板１６とでほぼ平坦な内面を形成することができるので、棚付きの収納庫して見栄えが良くなるとともに、棚受け具１４に支持される棚板の両端に載置物落下の原因となる隙間や載置物の出し入れの際に障害となる凹凸が生じることを防止でき、使い勝手の良い棚付きの収納庫にすることができる。
【００３０】
図５は他の参考例を示したものであり、図５中（ａ）は収納庫本体にサスペンションを取り付ける場合の要部分解斜視図、（ｂ）は棚受け板及び棚受け具の斜視図、（ｃ）は取付穴ピッチの異なる棚受け板を示す斜視図である。同図において、上記第１実施例と同様の構成要素には同一の参照符号が付してある。
【００３１】
この参考例においては、収納庫本体１における側板２、３の内面に収納庫本体１の内方に突出し且つ上下方向に延びる前補強板８及び後補強板９が前後に間隔を開けて設けられており、さらに前補強板８と後補強板９との間に、中間カバー板１７が設けられている。そして、前補強板８の突出部と中間カバー板１７との間、及び、後補強板９の突出部と中間カバー板１７との間にそれぞれ引出し用サスペンション１０を取り付け可能な取付穴１８ａ、１９ａを有する２本のサスペンション受け板１８，１９と、棚受け具１４を取り付け可能な取付穴２０ａ、２０ａを有する２本の棚受け板２０とが選択的に取り付け可能となっている。サスペンション受け板１８、１９及び棚受け板２０にはそれぞれ前方及び後方に突出するフック１８ｂ、１９ｂ、２０ｂがそれぞれ上下に間隔をあけて設けられており、前補強板８の突出部後側面８ｃ、中間カバー板１７の前側面及び後側面、及び後補強板９の突出部前側面９ｂにはそれぞれこれらのフック１８ｂ、１９ｂ、２０ｂを引っ掛けて止めることができる取付穴８ｅ、１７ａ、９ｅが上下に間隔をあけて形成されている。
【００３２】
したがって、上記参考例の収納庫においては、側板２、３における前補強板８と中間カバー板１７との間及び後補強板９と中間カバー板１７との間にそれぞれサスペンション受け板１８，１９を取り付ければ、両サスペンション受け板１８，１９に設けられている取付穴１８ａ、１９ａに引出し用サスペンション１０を取り付けることができるので、引出し付きの収納庫にすることができる。また、前補強板８と中間カバー板１７との間及び後補強板９と中間カバー板１７との間にそれぞれ棚受け板２０、２０を取り付ければ、この棚受け板２０、２０に設けられている取付穴２０ａ、２０ａに棚受け具１４を取り付けて棚板を支持することができるので、棚付きの収納庫にすることができる。
【００３３】
しかも、前補強板８と中間カバー板１７との間及び後補強板９と中間カバー板１７との間にそれぞれ棚受け板２０，２０を取り付けたときは、前補強板８と後補強板９と中間カバー板１７と棚受け板２０，２０とでほぼ平坦な内面を形成することができるので、棚付きの収納庫して見栄えが良くなるとともに、棚受け具１４に支持される棚板の両端に載置物落下の原因となる隙間や載置物の出し入れの際に障害となる凹凸が生じることを防止でき、使い勝手の良い棚付きの収納庫にすることができる。
【００３４】
以上、図示実施例につき説明したが、本発明は上記実施例の態様のみに限定されるものではなく、特許請求の範囲に記載した発明の範囲内においてその構成要素に種々の変更を加えることができる。例えば、図示実施例の収納庫本体は側板２、３、天板４及び底板５が分解及び組み立て可能であるが、一体化されたものであってもよい。また、前補強板８と後補強板９には引出し用サスペンション１０を取り付け可能な取付部として切り起こし片等からなる突起部を設けてもよい。また、内側板１１への棚板受け具の取り付け形態も任意形態に変更することができる。さらに、収納庫本体はその内部を複数の収納室に区画する仕切板を有していてもよく、その場合、収納庫本体の側板及び仕切板に対し本発明の特徴的構成を適用することができる。
【００３５】
【発明の効果】
以上の説明から明らかなように、本発明によれば、収納庫本体を共通化可能とし、引出し付き収納庫や棚付き収納庫等を容易に組み立てることができる収納庫の構造を提供することができる。
【図面の簡単な説明】
【図１】  本発明の第１実施例を示すものであり、（ａ）は収納庫本体にサスペンションを取り付ける場合の分解斜視図、（ｂ）はサスペンションの裏側斜視図、（ｃ）は棚受け板及び棚受け具の斜視図である。
【図２】  図１に示す収納庫本体の要部正面図である。
【図３】  （ａ）は図１に示す収納庫本体にサスペンションを取り付けた状態を示す要部横断面平面図であり、（ｂ）は図１に示す収納庫本体にサスペンションに代えて棚受け板を取り付けた状態を示す要部横断面平面図である。
【図４】  収納庫の参考例を示すものであり、（ａ）は収納庫本体にサスペンションを取り付ける場合の要部分解斜視図、（ｂ）は棚受け板及び棚受け具の斜視図、（ｃ）は取付穴ピッチの異なる棚受け板を示す斜視図である。
【図５】  他の参考例を示すものであり、（ａ）は収納庫本体にサスペンションを取り付ける場合の要部分解斜視図、（ｂ）は棚受け板及び棚受け具の斜視図、（ｃ）は取付穴ピッチの異なる棚受け板を示す斜視図である。
【符号の説明】
１  収納庫本体
２、３  側板
８  前補強板
８ｄ、８ｅ  取付穴（取付部）
９  後補強板
９ｄ、９ｅ  取付穴（取付部）
１０  サスペンション
１１  内側板
１２、１３  内側板の裏面の補強板
１２ａ、１３ａ  フック（係止部）
１４  棚受け具
【図１】
0003753412.tif 000002
【図２】
0003753412.tif 000003
【図３】
0003753412.tif 000004
【図４】
0003753412.tif 000005
【図５】
0003753412.tif 000006